(57)【要約】  バスケット部を外筒部材内に引き込むときの荷重を低減することができるバスケットカテーテルを提供する。バスケットカテーテル１は、バスケット部９の最大外径位置１５より近位側かつ第２結束部１２より遠位側であって、複数の弾性ワイヤ１０のうち少なくとも１本の特定の弾性ワイヤ１０ａが外筒部材２と接触している状態で、外筒部材２の中心軸に対して垂直な方向から見て、特定の弾性ワイヤ１０ａは、第２結束部１２の遠位端と外筒部材２の遠位端の間において、上記中心軸に対して角度αをなしており、特定の弾性ワイヤ１０ａが、外筒部材２の遠位端で上記中心軸に対して角度βをなしている。ここで、０度＜α＜５０度、１５度＜β＜９０度、かつα≦βである。
2019155796.tif 000002
【特許請求の範囲】
【請求項１】
遠位側と近位側を有する外筒部材と、
該外筒部材の内腔に配置されている内挿部材と、
前記内挿部材の遠位側に配置されており、複数の弾性ワイヤが第１結束部と、該第１結束部よりも近位側の第２結束部において結束されて形成されている拡張可能なバスケット部と、を有しているバスケットカテーテルであって、
前記バスケット部の最大外径をなす位置よりも近位側、かつ前記第２結束部よりも遠位側であって、前記複数の弾性ワイヤのうち少なくとも１本の特定の弾性ワイヤが前記外筒部材と接触している接触状態で、前記外筒部材の中心軸に対して垂直な方向から見て、前記特定の弾性ワイヤは、前記第２結束部の遠位端と前記外筒部材の遠位端の間において、前記外筒部材の中心軸に対して角度αをなしており、前記特定の弾性ワイヤが、前記外筒部材の遠位端で前記外筒部材の中心軸に対して角度βをなしていることを特徴とするバスケットカテーテル。ここで、０度＜α＜５０度、１５度＜β＜９０度、かつα≦βである。
【請求項２】
前記特定の弾性ワイヤが前記外筒部材と接触している状態において、
前記特定の弾性ワイヤは前記第２結束部の遠位端を通っており、
前記カテーテルを前記カテーテルの遠位端側から見て、
前記特定の弾性ワイヤの前記第２結束部の遠位端と前記内挿部材の遠位端の中心とを通る第１直線と、前記特定の弾性ワイヤと前記外筒部材とが接触する点と前記外筒部材の遠位端の中心とを通る第２直線が角度γをなしている請求項１に記載のバスケットカテーテル。ここで、０度＜γ＜９０度である。
【請求項３】
前記第２結束部において、前記複数の弾性ワイヤがねじって結束されている請求項１または２に記載のバスケットカテーテル。
【請求項４】
前記第１結束部において、前記複数の弾性ワイヤがねじって結束されている請求項１〜３のいずれか一項に記載のバスケットカテーテル。
【請求項５】
前記複数の弾性ワイヤがらせん状に形成されている請求項１〜４のいずれか一項に記載のバスケットカテーテル。
【請求項６】
前記バスケット部の最大外径位置において、前記複数の弾性ワイヤのうち少なくとも１本の特定の弾性ワイヤが、前記バスケット部の中心軸に対して角度Ｘをなしており、前記第２結束部において、前記複数の弾性ワイヤのうち少なくとも１本の特定の弾性ワイヤが、中心軸に対して角度Ｙをなしており、Ｘ＞Ｙである請求項１〜５のいずれか一項に記載のバスケットカテーテル。
【請求項７】
前記バスケット部の最大外径位置よりも遠位側にある前記弾性ワイヤが、前記最大外径位置よりも近位側にある前記弾性ワイヤよりも長い請求項１〜６のいずれか一項に記載のバスケットカテーテル。
【請求項８】
前記複数の弾性ワイヤが、筒状の接続具によって前記第２結束部で結束されており、
前記接続具は、遠位側から前記弾性ワイヤの近位端部が挿入されているワイヤ挿通路を複数有している請求項１〜７のいずれか一項に記載のバスケットカテーテル。
【請求項９】
前記外筒部材の遠近方向において、前記第１結束部の近位端を０％とし前記バスケット部の最大外径位置を１００％としたとき、前記バスケット部の外径が最大外径の半分となる位置が、０％〜２５％の範囲にあり、
前記バスケット部を側面から見て、前記複数の弾性ワイヤは、前記第１結束部の近位端から前記最大外径位置までの間における包絡線が弧状となるように形成されている請求項１〜８のいずれか一項に記載のバスケットカテーテル。
【請求項１０】
前記弾性ワイヤの最大外径位置を含み、前記第１結束部の近位端よりも近位側であって、前記第２結束部の遠位端よりも遠位側の中央区間に配置されている弾性ワイヤが、前記中央区間以外に配置されている弾性ワイヤよりも硬度が低い請求項１〜９のいずれか一項に記載のバスケットカテーテル。
【請求項１１】
前記弾性ワイヤの最大外径位置よりも遠位側に配置されている弾性ワイヤは、前記最大外径位置よりも近位側に配置されている弾性ワイヤよりも硬度が低い請求項１〜１０のいずれか一項に記載のバスケットカテーテル。
【発明の詳細な説明】
【技術分野】
【０００１】
本発明は、好適にバスケットに異物を捕捉することができるカテーテルに関する。
【背景技術】
【０００２】
胆管や尿道に生じる結石の治療では、ＳＵＳ撚線やＮｉ−Ｔｉ等の形状記憶合金線を籠状に編んだバスケットカテーテル（バスケット鉗子）や結石除去用バルーンカテーテルが用いられる。バスケットカテーテルにおいて、結石などの異物を捕捉するバスケット部は、複数の金属線材が遠位端と該遠位端よりも近位側の２箇所で結束されて、この２箇所の結束部の間で線材が折り曲げられたり、らせん状にねじり合わされることで籠状に構成されている。バスケットカテーテルは、内視鏡の鉗子口を通じて胆管内等の処置部に到達する。バスケット部は患部への送達時には例えば樹脂製のシースに収められており、異物の捕捉時にシースの遠位端から露出させることにより籠状に展開される。異物をバスケット内に収容した後、バスケットカテーテルを処置部から抜去し、異物を除去する。【０００３】
巨大な結石により胆管が大きく拡張している症例では、結石を小さく破砕した後に、バスケットカテーテルで結石を除去するが、拡張した胆管と結石のクリアランスが大きくなり、バスケット部の隙間から取りこぼしが生じることがある。胆管軸に沿った摺動を複数回行うことで結石を回収するが、胆泥から微小結石の場合には十分に採取することができないことがある。このため、様々なサイズの結石を採取可能なバスケットカテーテルが開発されている。【０００４】
特許文献１には生体管腔に挿入されて当該生体管腔の物体を破砕するための医療デバイスであって、破砕した物体を吸引して、シャフト外管に設けられる開口部から当該物体を除去することが開示されている。【０００５】
特許文献２には遠位側に行くに従ってバスケットワイヤの螺旋のピッチが密になっていることが開示されている。
【先行技術文献】
【特許文献】
【０００６】
【特許文献１】特開２０１７−１５８７８５号公報
【特許文献２】国際公開第２０１５／０７２３９４号
【発明の概要】
【発明が解決しようとする課題】
【０００７】
しかし、特許文献１の記載によれば、記載されたデバイスは小さいサイズの結石が回収可能であるが、使用時には吸引器具が必要であり、バスケットカテーテル単独で異物を回収することができない。また、特許文献２に記載されているようにワイヤ間を密に形成することで結石の取りこぼしを防止できるが、ワイヤ間が密であるために、結石を回収することが困難になったり、バスケット部を外筒部材に収納する際の引き込み時の抵抗が大きくなるおそれがある。そこで、本発明はバスケット部を外筒部材内に引き込むときの荷重を低減することができるバスケットカテーテルを提供することを目的とする。
【課題を解決するための手段】
【０００８】
上記課題を解決し得た本発明のバスケットカテーテルは、遠位側と近位側を有する外筒部材と、外筒部材の内腔に配置されている内挿部材と、内挿部材の遠位側に配置されており、複数の弾性ワイヤが第１結束部と、第１結束部よりも近位側の第２結束部において結束されて形成されている拡張可能なバスケット部と、を有し、バスケット部の最大外径をなす位置よりも近位側、かつ第２結束部よりも遠位側であって、複数の弾性ワイヤのうち少なくとも１本の特定の弾性ワイヤが外筒部材と接触している接触状態で、外筒部材の中心軸に対して垂直な方向から見て、特定の弾性ワイヤは、第２結束部の遠位端と外筒部材の遠位端の間において、外筒部材の中心軸に対して角度αをなしており、特定の弾性ワイヤが、外筒部材の遠位端で外筒部材の中心軸に対して角度βをなしている点に要旨を有する。ここで、０度＜α＜５０度、１５度＜β＜９０度、かつα≦βである。本発明のバスケットカテーテルは、角度α、βが上記範囲に設定されていることにより、バスケット部の近位側において、特定弾性ワイヤが適度に径方向外方に広がりつつ、バスケット部を外筒部材内に引き込むときの荷重を低減することができるため、バスケットカテーテルの操作性が向上する。【０００９】
上記バスケットカテーテルは、特定の弾性ワイヤが外筒部材と接触している状態において、特定の弾性ワイヤは第２結束部の遠位端を通っており、カテーテルをカテーテルの遠位端側から見て、特定の弾性ワイヤの第２結束部の遠位端と内挿部材の遠位端の中心とを通る第１直線と、特定の弾性ワイヤと外筒部材とが接触する点と外筒部材の遠位端の中心とを通る第２直線が角度γをなしていることが好ましい。ここで、０度＜γ＜９０度である。【００１０】
上記バスケットカテーテルは、第２結束部において、複数の弾性ワイヤがねじって結束されていることが好ましい。【００１１】
上記バスケットカテーテルは、第１結束部において、複数の弾性ワイヤがねじって結束されていることが好ましい。【００１２】
上記バスケットカテーテルにおいて、複数の弾性ワイヤがらせん状に形成されていることが好ましい。【００１３】
上記バスケットカテーテルは、バスケット部の最大外径位置において、複数の弾性ワイヤのうち少なくとも１本の特定の弾性ワイヤが、バスケット部の中心軸に対して角度Ｘをなしており、第２結束部において、複数の弾性ワイヤのうち少なくとも１本の特定の弾性ワイヤが、中心軸に対して角度Ｙをなしており、Ｘ＞Ｙであることが好ましい。【００１４】
上記バスケットカテーテルにおいて、バスケット部の最大外径位置よりも遠位側にある弾性ワイヤが、最大外径位置よりも近位側にある弾性ワイヤよりも長いことが好ましい。【００１５】
上記バスケットカテーテルにおいて、複数の弾性ワイヤが、筒状の接続具によって第２結束部で結束されており、接続具は、遠位側から弾性ワイヤの近位端部が挿入されているワイヤ挿通路を複数有していることが好ましい。【００１６】
上記バスケットカテーテルは、外筒部材の遠近方向において、第１結束部の近位端を０％としバスケット部の最大外径位置を１００％としたとき、バスケット部の外径が最大外径の半分となる位置が、０％〜２５％の範囲にあり、バスケット部を側面から見て、複数の弾性ワイヤは、第１結束部の近位端から最大外径位置までの間における包絡線が弧状となるように形成されていることが好ましい。【００１７】
上記バスケットカテーテルにおいて、弾性ワイヤの最大外径位置を含み、第１結束部の近位端よりも近位側であって、第２結束部の遠位端よりも遠位側の中央区間に配置されている弾性ワイヤが、中央区間以外に配置されている弾性ワイヤよりも硬度が低いことが好ましい。【００１８】
上記バスケットカテーテルにおいて、弾性ワイヤの最大外径位置よりも遠位側に配置されている弾性ワイヤは、最大外径位置よりも近位側に配置されている弾性ワイヤよりも硬度が低いことが好ましい。
【発明の効果】
【００１９】
本発明によれば、特定弾性ワイヤが適度に径方向外方に広がりつつ、バスケット部を外筒部材内に引き込むときの荷重を低減することができるため、バスケットカテーテルの操作性が向上する。
【図面の簡単な説明】
【００２０】
【図１】本発明の実施の形態に係るバスケットカテーテルの遠位側の側面図（一部断面図）を表す。
【図２】図１に示すバスケットカテーテルの第２結束部付近を拡大した側面図（一部断面図）を表す。
【図３】特定の弾性ワイヤと外筒部材の接触状態を示す模式図を表す。
【図４】本発明の他の実施の形態に係るバスケットカテーテルの遠位側の側面図（一部断面図）を表す。
【図５】本発明のさらに他の実施の形態に係るバスケットカテーテルの遠位側の側面図（一部断面図）を表す。
【図６】本発明のさらに他の実施の形態に係るバスケットカテーテルの遠位側の側面図（一部断面図）を表す。
【発明を実施するための形態】
【００２１】
以下、下記実施の形態に基づき本発明をより具体的に説明するが、本発明はもとより下記実施の形態によって制限を受けるものではなく、前・後記の趣旨に適合し得る範囲で適当に変更を加えて実施することも勿論可能であり、それらはいずれも本発明の技術的範囲に包含される。なお、各図面において、便宜上、ハッチングや部材符号等を省略する場合もあるが、かかる場合、明細書や他の図面を参照するものとする。また、図面における種々部材の寸法は、本発明の特徴の理解に資することを優先しているため、実際の寸法とは異なる場合がある。
【００２２】
図１〜図３を参照して、バスケットカテーテルの構成について説明する。図１は、本発明の実施の形態に係るバスケットカテーテルの遠位側の側面図（一部断面図）を、図２は図１に示すバスケットカテーテルの第２結束部付近を拡大した側面図（一部断面図）を、図３は特定の弾性ワイヤと外筒部材の接触状態を示す模式図を表す。図面の理解を容易にするために、図３では特定の弾性ワイヤが第２結束部の遠位端から最大外径位置よりも近位側まで延在していることを示している。
【００２３】
本発明においてバスケットカテーテル１は、遠位側と近位側を有するものであり、結石等の体内の異物を捕捉する籠状のバスケット部９を有する医療用の処置具である。バスケットカテーテル１を、以下、単に「カテーテル１」と称することがある。本発明のカテーテル１は、外筒部材２と、内挿部材３と、バスケット部９と、を有している。
【００２４】
本発明において、カテーテル１の近位側とは、カテーテル１の延在方向に対して使用者、つまり術者の手元側の方向を指し、遠位側とは近位側の反対方向、すなわち処置対象側の方向を指す。また、カテーテル１の近位側から遠位側への方向を軸方向または遠近方向と称する。
【００２５】
本発明のバスケットカテーテル１は内視鏡を用いた治療に用いられ、内視鏡の鉗子口を通じて、内視鏡の鉗子口の遠位側から体内に配置され、処置部まで到達する。カテーテル１のすべての材料は生体適合性を有することが望ましい。
【００２６】
外筒部材２は、遠位側と近位側を有しており、内腔にバスケット部９を収容することができる。外筒部材２は、内部にバスケット部９を収容することによって、カテーテル１が内視鏡の鉗子口から鉗子チャンネル内を通って異物の近くに搬送されるまでの間にバスケット部９の弾性ワイヤ１０が内視鏡内の鉗子口、鉗子チャンネル内、異物以外の体内組織等を傷付けることを防止する。
【００２７】
外筒部材２としては、樹脂チューブ、単線または複数の線材、撚線の線材を特定のパターンで配置することによって形成された筒状体、金属管またはこれらを組み合わせたものが挙げられる。樹脂チューブは、例えば押出成形によって製造することができる。線材が特定のパターンで配置された筒状体としては、線材が単に交差される、または編み込まれることによって網目構造を有する筒状体や、線材が巻回されたコイルが示される。網目構造の種類は特に制限されず、コイルの巻き数や密度も特に制限されない。網目構造やコイルは軸方向の全体にわたって一定の密度で形成されていてもよく、軸方向の位置によって異なる密度で形成されていてもよい。金属管の可撓性を高めるために、金属管の外側表面には複数の環状の溝やらせん状の溝が形成されていてもよい。中でも、溝が金属管の軸方向の中央よりも遠位側の外表面、特に外周面に形成されていることが好ましい。
【００２８】
外筒部材２は樹脂または金属から構成されることが好ましい。外筒部材２を構成する樹脂としては、ポリアミド系樹脂、ポリエステル系樹脂、ポリウレタン系樹脂、ポリオレフィン系樹脂、フッ素系樹脂、塩化ビニル系樹脂、シリコーン系樹脂、天然ゴム等が挙げられる。これらは１種のみを用いてもよく、２種以上を併用してもよい。中でも、ポリアミド系樹脂、ポリエステル系樹脂、ポリウレタン系樹脂、ポリオレフィン系樹脂、フッ素系樹脂が好適に用いられる。また、外筒部材２を構成する金属としては、例えば、ＳＵＳ３０４、ＳＵＳ３１６等のステンレス鋼、白金、ニッケル、コバルト、クロム、チタン、タングステン、金、Ｎｉ−Ｔｉ合金、Ｃｏ−Ｃｒ合金、またはこれらの組み合わせが挙げられる。特に、Ｎｉ−Ｔｉ合金から構成されている線材は、形状記憶性および高弾性に優れている。また、線材は、上述の金属、ポリアリレート繊維、アラミド繊維、超高分子量ポリエチレン繊維、ＰＢＯ繊維、炭素繊維等の繊維材料であってもよい。繊維材料は、モノフィラメントであっても、マルチフィラメントであってもよい。また、樹脂から構成されている筒状体に金属線材等の補強材が配設されているものを外筒部材２として用いてもよい。
【００２９】
内挿部材３は外筒部材２の内腔に配置されている。内挿部材３は近位側に設けられるハンドル（図示せず）と遠位側のバスケット部９に接続されており、手元側の操作をバスケット部９に伝達する。
【００３０】
内挿部材３は外筒部材２と同様の樹脂または金属から構成されることが好ましい。内挿部材３の材料は、外筒部材２の材料と同じであってもよく、異なっていてもよい。内挿部材３は外筒部材２と同様に樹脂チューブ、単線または複数の線材、撚線の線材を特定のパターンで配置することによって形成された筒状体、金属管またはこれらを組み合わせたものを用いることができる。
【００３１】
内挿部材３が中実状に形成されているか、あるいは複数の線材が結束または撚られて形成されていることが好ましい。これにより内挿部材３の外径を小さくすることができるため、カテーテル１自体の外径も小さくすることができる。例えば、バスケット部９を形成する長尺な弾性ワイヤ１０を準備し、弾性ワイヤ１０の遠位部分にバスケット部９を形成し、バスケット部９の第２結束部１２（後述する）よりも近位部分を内挿部材３とすることができる。
【００３２】
内挿部材３が中空状に形成されていることが好ましい。これにより、バスケット部９で捕捉された異物を除去等するための補助処置具を内挿部材３内に配置することができる。別の補助処置具によって、管腔内または異物の観察や捕捉した異物の除去等の処置を行うことができ、嵌頓の防止、症例に応じた手技の選択肢の増加、低侵襲治療の促進といった効果が得られる。例えば、内視鏡を併用して、胆管内の結石を除去する場合、内視鏡を胆管内に挿入することができないため、十二指腸に配置された内視鏡から胆管内に挿入されたカテーテル１から、追加の処置具である補助処置具を挿入することによって、処置の効率を高め、治療の低侵襲性を促進することができる。補助処置具としては、バルーンカテーテル、マイクロカテーテル、鉗子、レーザープローブ、ファイバースコープ、電気水圧衝撃破砕プローブまたはガイドワイヤが挙げられる。
【００３３】
中空状の内挿部材３として、一または複数の線材がらせん状に巻回されて形成されている中空体を用いてもよい。内挿部材３は軸方向の一部が中空体であることが好ましく、軸方向全体が中空体であってもよい。複数の線材がらせん状に巻回されて形成される中空体は、複数の線材を撚り合わせて芯のない中空体として形成することもできる。中空体は、中空体が複数重ねられている複層中空体であることが好ましい。複層中空体は、例えば、芯材に線材を巻きつけてコイルを形成し、そのコイルの上にさらに線材を巻きつけてコイルを形成することにより形成することができる。このような中空体によれば、手元側のトルクをバスケット部９に伝達しやすくなるため、異物の捕捉操作を容易に行うことができる。
【００３４】
図示していないが、内挿部材３は中空コイル体の近位端部に接続されている金属管をさらに有していてもよい。金属管が設けられることによって内挿部材３の軸方向への伸びを抑えることができる。中空体がコイル状に形成されている場合は、軸方向に沿って延在している伸長抵抗部材を中空コイル体の内側または外側に配置し、伸長抵抗部材の遠位端部と近位端部を中空コイル体に固定することができる。
【００３５】
外筒部材２や内挿部材３は、単層から構成されていてもよく、複数層から構成されていてもよい。また、軸方向において外筒部材２の一部が単層から構成されており、他部が複数層から構成されていてもよく、内挿部材３についても同様である。
【００３６】
造影剤や薬液等の流体から外筒部材２や内挿部材３を保護するために、外筒部材２や内挿部材３の外側表面、内側表面にはコーティング剤が塗布されていてもよい。また、内挿部材３に対するガイドワイヤの摺動性を高めるために、内挿部材３の内側表面には潤滑剤が塗布されていてもよい。さらに、外筒部材２に対する内挿部材３の摺動性を高めるために、外筒部材２の内側表面や内挿部材３の外側表面には潤滑剤が塗布されていてもよい。
【００３７】
バスケット部９は体内で異物を捕捉するために設けられる。バスケット部９は内挿部材３の遠位側に配置されている拡張可能なものである。バスケット部９は外筒部材２の遠位側内部に収容された状態で処置部まで到達する。その後、バスケット部９は外筒部材２からさらに遠位側へ移動し、外筒部材２による拘束から脱して徐々に拡張し、図１に示すような予め設計されたバスケット形状となる。複数の弾性ワイヤ１０は第１結束部１１と、第１結束部１１よりも近位側の第２結束部１２において結束されている。弾性ワイヤ１０には湾曲形状や屈曲形状が付与されて籠状に形成され、第１結束部１１と第２結束部１２の間に異物を取り込む。詳細には、バスケット部９の第２結束部１２の遠位端よりも遠位側を外筒部材２から露出させると、バスケット部９は弾性ワイヤ１０の径方向の外方への拡張によってバスケット形状となり、弾性ワイヤ１０の隙間からバスケット部９に異物を取り込むことができる。
【００３８】
弾性ワイヤ１０は、弾性を有する線状部材であり、形状記憶合金または形状記憶樹脂から構成されることが好ましい。弾性ワイヤ１０は例えば、ＳＵＳ３０４、ＳＵＳ３１６等のステンレス鋼、白金、ニッケル、コバルト、クロム、チタン、タングステン、アルミニウム、金、銀、Ｎｉ−Ｔｉ合金、Ｃｏ−Ｃｒ合金等から構成されている単線または撚線の金属線材であってもよい。中でもＮｉ−Ｔｉ合金から構成されている金属線材であることが好ましい。弾性ワイヤ１０の個数は特に制限されず、対象とする異物の大きさに応じて適宜選択することができる。一般的には、大きいサイズの異物を対象とするときは、弾性ワイヤ１０の個数を少なく、小さいサイズの異物を対象とするときは、弾性ワイヤ１０の個数を多くすることが好ましい。
【００３９】
バスケット部９の最大外径位置１５よりも遠位側と近位側において、弾性ワイヤ１０が異なる材料や太さの違うワイヤから構成されていてもよい。例えば、図１に示すように、弾性ワイヤ１０の最大外径位置１５を含み、第１結束部１１の近位端よりも近位側であって、第２結束部１２の遠位端よりも遠位側の中央区間１６に配置されている弾性ワイヤ１０が、中央区間１６以外に配置されている弾性ワイヤ１０よりも硬度が低くてもよい。具体的には、中央区間１６に配置されている弾性ワイヤ１０が、中央区間１６よりも遠位側にある遠位区間１７と、中央区間１６よりも近位側にある近位区間１８の少なくともいずれか一方に配置されている弾性ワイヤ１０よりも硬度が低いことが好ましい。これにより、バスケット部９の外筒部材２内への引き込み荷重を低減することができる。さらに、最大外径位置１５よりも遠位側に配置されている弾性ワイヤ１０が、最大外径位置１５よりも近位側に配置されている弾性ワイヤ１０よりも硬度が低くてもよい。弾性ワイヤ１０の硬度をこれらのように設定することにより、後述するバスケット部９の最大外径位置１５よりも遠位側にある弾性ワイヤ１０が、最大外径位置１５よりも近位側にある弾性ワイヤ１０よりも長い態様や、第１結束部１１の近位端から最大外径位置１５までの間において複数の弾性ワイヤ１０の包絡線Ｌ４が弧状となる態様の場合に、バスケット部９の外筒部材２内への引き込み荷重をより低減することができる。
【００４０】
バスケット部９は最大外径位置１５を挟んで遠位側と近位側で弾性ワイヤ１０の個数が異なっていてもよく、例えば、最大外径位置１５よりも遠位側の個数を近位側よりも多くすることができる。これにより、弾性ワイヤ１０の間隔がバスケット部９の遠位側では密に、近位側では疎になりやすくなる。疎の部分（近位部分）を用いることでバスケット部９内に異物を取り込みやすくなり、密の部分（遠位部分）を用いることで疎の部分で捕捉した異物のサイズが小さくても取りこぼしにくくなる。
【００４１】
弾性ワイヤ１０の外径は、外筒部材２の内径の５分の１以下であることが好ましく、１０分の１以下であることがより好ましく、１５分の１以下であることがさらに好ましい。弾性ワイヤ１０の外径が小さいほど、バスケット部９を外筒部材２内に引き込むときの荷重を低減することができる。具体的には、弾性ワイヤ１０の外径が０．２６ｍｍ以下であることが好ましく、０．２０ｍｍ以下であることがより好ましい。
【００４２】
バスケット部９は複数の弾性ワイヤ１０が第１結束部１１において結束されている。具体的には、バスケット部９の遠位側（好ましくはバスケット部９の遠位端部）に第１結束部１１が配置されている。第１結束部１１において、複数の弾性ワイヤ１０はそれぞれが接触していても接触していなくてもよい。図１に示すように、先端チップ１３によって弾性ワイヤ１０が第１結束部１１で結束されていてもよい。弾性ワイヤ１０を結束可能である限り、先端チップ１３の形状は特に限定されないが、例えば軸方向の少なくとも一部（より好ましくは先端チップ１３の近位端を含む部分）に筒状に形成されている筒部を有していることが好ましい。先端チップ１３の筒部内に弾性ワイヤ１０の遠位端部を挿入して、筒部をかしめることによって弾性ワイヤ１０を結束することができる。
【００４３】
図示していないが、先端チップ１３は複数の弾性ワイヤ１０の遠位端部が挿入される一または複数のワイヤ挿入孔を有していてもよい。その場合、弾性ワイヤ１０の本数とワイヤ挿入孔の数が同じであることが好ましい。これにより、ワイヤ挿入孔に弾性ワイヤ１０を１本ずつ挿入することができるため、先端チップ１３とワイヤ挿入孔をしっかりと固定することができる。
【００４４】
第１結束部１１では、熱溶着または銀ロウ付け、接着、かしめ加工などの方法により、複数の弾性ワイヤ１０が結束されていてもよい。また、複数の弾性ワイヤ１０を用いて結び目を形成することにより、これら弾性ワイヤ１０が結束されていてもよい。
【００４５】
先端チップ１３は、弾性ワイヤ１０と同じ材料であってもよく、異なる材料で構成されていてもよい。例えば、先端チップ１３と弾性ワイヤ１０をともに、金属材料として溶接によって両者を固定することができる。先端チップ１３を樹脂材料として、接着剤を用いて弾性ワイヤ１０と接着してもよい。先端チップ１３として、例えば金属材料と樹脂材料のように異なる材料を組み合わせたものを用いてもよい。例えば、先端チップ１３のうち、弾性ワイヤ１０を固定する部分を金属材料から構成し、その金属部分よりも遠位側の部分を樹脂材料から構成することができる。これにより先端チップ１３と弾性ワイヤ１０の固定をより強固にし、かつ生体を傷つけにくくすることができる。また先端チップ１３は、外筒部材２と同じ材料であってもよく、異なる材料で構成されていてもよい。
【００４６】
先端チップ１３にはバスケットカテーテル１とは別の処置具である補助処置具を挿通させる処置具挿通路が設けられていてもよい。中空状の内挿部材３を経由して補助処置具をバスケット部９の遠位側まで到達させる場合には、処置具挿通路は、内挿部材３の軸方向に沿って延在していることが好ましい。先端チップ１３は、先端チップ１３の内挿部材３の軸方向でない方向に延在する処置具挿通路が設けられていてもよい。このような処置具挿通路には、例えば、ガイドワイヤを挿通することができる。また、バスケット部９を外筒部材２内に引き込んだときに、バスケット部９の位置を固定できるように、内挿部材３の径方向において、先端チップ１３の外径は外筒部材２の内径よりも大きいことが好ましい。
【００４７】
第１結束部１１において、複数の弾性ワイヤ１０がねじって結束されていることが好ましく、全ての弾性ワイヤ１０がねじって結束されていることがより好ましい。これにより、第１結束部１１において複数の弾性ワイヤ１０が周方向に変位するため、バスケット部９の遠位側を外筒部材２外に出す、または外筒部材２内に引き込むときの荷重を低減することができる。
【００４８】
複数の弾性ワイヤ１０は、第１結束部１１よりも近位側の第２結束部１２において結束されている。第２結束部１２では、第１結束部１１と同様の方法で弾性ワイヤ１０を結束することができる。例えば、接続具１４によって、弾性ワイヤ１０が第２結束部１２で結束されていてもよい。また、複数の弾性ワイヤ１０と内挿部材３が接続具１４によって接続されていることが好ましい。接続具１４は、円筒状や多角筒状等の筒状に形成することができる。接続具１４は、先端チップ１３や外筒部材２と同様の材料から構成することができる。接続具１４は、弾性ワイヤ１０とともに外筒部材２内に収容されるため、接続具１４の外径は外筒部材２の内径よりも小さいものである。第１結束部１１と同様に、熱溶着または銀ロウ付け、接着、かしめ加工などの方法により、複数の弾性ワイヤ１０や接続具１４が互いに第２結束部１２で結束されていてもよい。
【００４９】
複数の弾性ワイヤ１０が、筒状の接続具１４によって第２結束部１２で結束されており、接続具１４は、遠位側から弾性ワイヤ１０の近位端部が挿入されているワイヤ挿通路を複数有していることが好ましい。これにより、筒状の接続具１４を介して内挿部材３と弾性ワイヤ１０をより強固に接続することができる。また、中空状に形成されている内挿部材３と弾性ワイヤ１０が、筒状の接続具１４によって第２結束部１２で結束されていることが好ましい。これにより、手技において内挿部材３の内腔に挿通される補助処置具を併用することができる。
【００５０】
複数のワイヤ挿通路が周方向に並んで配置されることが好ましい。ワイヤ挿通路は、等間隔に並んで配置されることが好ましいが、不均等に配置されていてもよい。このようにワイヤ挿通路を配置することによって、バスケット部９における弾性ワイヤ１０の延在方向を調整することができる。
【００５１】
図１〜図２に示すように、バスケット部９の最大外径をなす位置（以下、単に「最大外径位置１５」ということがある）よりも近位側、かつ第２結束部１２よりも遠位側であって、複数の弾性ワイヤ１０のうち少なくとも１本の特定の弾性ワイヤ１０（以下、「特定弾性ワイヤ１０ａ」ということがある）が外筒部材２と接触している接触状態で、外筒部材２の中心軸に対して垂直な方向から見て、特定弾性ワイヤ１０ａは、第２結束部１２の遠位端と外筒部材２の遠位端の間において、外筒部材２の中心軸に対して角度αをなしており、特定弾性ワイヤ１０ａが、外筒部材２の遠位端で外筒部材２の中心軸に対して角度βをなしている。ここで、０度＜α＜５０度、１５度＜β＜９０度、かつα≦βである。
【００５２】
１本の特定弾性ワイヤ１０ａが、第２結束部１２の遠位端と外筒部材２の遠位端の間において、外筒部材２の中心軸に対して角度αをなしており、かつ外筒部材２の遠位端で外筒部材２の中心軸に対して角度βをなしていることが好ましい。これにより、引き込み荷重の低減効果が高められる。
【００５３】
αが０度超５０度未満であり、βが１５度超９０度未満であることにより、バスケット部９を外筒部材２内に引き込むときの荷重を低減することができる。また、α≦βであることにより、特定弾性ワイヤ１０ａが適度に径方向の外方に広がりやすくなる。したがって、上記のようにα、βの範囲を設定することにより、特定弾性ワイヤ１０ａが適度に径方向外方に広がりつつ、バスケット部９を外筒部材２内に引き込むときの荷重を低減することができるため、バスケットカテーテル１の操作性が向上する。
【００５４】
特定弾性ワイヤ１０ａは、第２結束部１２の遠位端よりも遠位側の位置において、外筒部材２の中心軸に対して角度αをなしていてもよいが、図２に示すように、第２結束部１２の遠位端において角度αをなしていることが好ましい。これにより、第２結束部１２の遠位端から外筒部材２との接触点Ｐまでの区間全体で弾性ワイヤ１０が径方向の外方に曲げられるため、角度βを大きくしやすくなる。その結果、バスケット部９の近位側での外径を確保しやすくなり、多様なサイズの対象物を捕捉することができるようになる。角度αと角度βとの間に、一または複数の、外筒部材２の中心軸に対して角度をなしている部分があってもよい。
【００５５】
図２に示すように、特定弾性ワイヤ１０ａは、外筒部材２との接触点Ｐを挟んで遠近方向に延在している部分が湾曲していることが好ましい。その場合、特定弾性ワイヤ１０ａの上記外筒部材２との接触点Ｐを挟んで遠近方向に延在している部分は、折り曲げられていないことが好ましい。特定弾性ワイヤ１０ａに急激な角度変化を付与しないことで、弾性ワイヤ１０が外筒部材２に引っ掛かりにくくなるため、バスケット部９の引き込みをスムーズに行うことができる。
【００５６】
αは、５度以上であることが好ましく、１０度以上であることがより好ましく、１５度以上であることがさらに好ましい。また、αは、４５度以下であることが好ましく、４０度以下であることがより好ましく、３５度以下であることがさらに好ましい。また、βは、２０度以上であることが好ましく、２５度以上であることがより好ましく、３０度以上であることがさらに好ましい。また、βは、８５度以下であることが好ましく、８０度以下であることがより好ましく、７５度以下であることがさらに好ましい。αおよびβを上記範囲に設定することで、引き込み荷重をより一層小さくすることができる。
【００５７】
αとβの角度差は、５度以上あることが好ましく、１０度以上あることがより好ましく、１５度以上あることがさらに好ましい。また、βがαの１．５倍以上であることが好ましく、２倍以上であることがより好ましく、２．５倍以上であることがさらに好ましい。このようにαとβの角度差を設定することにより、バスケット部９の近位側において、特定弾性ワイヤ１０ａが適度に径方向外方に広がりやすくなる。
【００５８】
バスケット部９は、複数の弾性ワイヤ１０のうち少なくとも２本以上が上記特定弾性ワイヤ１０ａであることが好ましく、複数の弾性ワイヤ１０の全てが上記特定弾性ワイヤ１０ａであることがより好ましい。すなわち、２本以上の弾性ワイヤ１０においてαとβが上記範囲にあることが好ましく、全ての弾性ワイヤ１０においてαとβが上記範囲にあることがより好ましい。これにより、バスケット部９を外筒部材２内に引き込むときの荷重をより一層小さくすることができる。
【００５９】
特定弾性ワイヤ１０ａが複数設けられており、バスケット部９は、特定弾性ワイヤ１０ａと、特定弾性ワイヤ１０ａ以外の非特定弾性ワイヤが、周方向において交互に配置されていることが好ましい。周方向において、特定弾性ワイヤ１０ａが所定の間隔で設けられていることにより、バスケット部９を外筒部材２内に引き込むときの荷重の周方向での偏りを小さくできる。
【００６０】
特定弾性ワイヤ１０ａが複数設けられており、一の特定弾性ワイヤ１０ａの角度αと、他の特定弾性ワイヤ１０ａの角度αの差は、５度以内であることが好ましく、３度以内であることがより好ましく、１度以内であることがさらに好ましい。同様に、一の特定弾性ワイヤ１０ａの角度βと、他の特定弾性ワイヤ１０ａの角度βの差も、５度以内が好ましく、より好ましくは３度以内である。これにより、各特定弾性ワイヤ１０ａが外筒部材２から受ける力をほぼ同じにすることができるため、バスケット部９を外筒部材２内に引き込むときの荷重の周方向での偏りを低減できる。
【００６１】
特定弾性ワイヤ１０ａは、外筒部材２と接触している状態において、周方向に変位していてもよい。詳細には、図２、図３に示すように、特定弾性ワイヤ１０ａが外筒部材２と接触している状態において、特定弾性ワイヤ１０ａは第２結束部１２の遠位端を通っており、カテーテル１をカテーテル１の遠位端側から見て、特定弾性ワイヤ１０ａの第２結束部１２の遠位端１２Ａと内挿部材３の遠位端の中心Ｃ１とを通る第１直線Ｌ１と、特定弾性ワイヤ１０ａと外筒部材２とが接触する点Ｐと外筒部材２の遠位端の中心Ｃ２とを通る第２直線Ｌ２が角度γをなしていることが好ましい。ここで、０度＜γ＜９０度である。角度γが０度超であることにより、バスケット部９を外筒部材２内に引き込むときの力を周方向に逃がすことができるため、引き込み時の荷重をより一層小さくすることができる。また、角度γが９０度未満であることにより、特定弾性ワイヤ１０ａが、周方向において隣に位置する弾性ワイヤ１０と接触してバスケット部９の形状が崩れることを抑制できる。したがって、特定弾性ワイヤ１０ａが外筒部材２と接触しても、特定弾性ワイヤ１０ａは角度γで周方向に変位していることにより、バスケット部９を外筒部材２内に引き込むときの荷重をより一層小さくすることができる。
【００６２】
なお、第１直線Ｌ１において、「特定弾性ワイヤ１０ａの第２結束部１２の遠位端１２Ａ」とは、第２結束部１２の遠位端１２Ａのうち特定弾性ワイヤ１０ａの中心軸と交差している点のことを意味している。
【００６３】
角度γは５度以上であることが好ましく、１０度以上がより好ましく、１５度以上がさらに好ましく、また、８５度以下であることが好ましく、８０度以下であることがより好ましく、７５度以下であることがさらに好ましい。γを上記範囲に設定することにより、バスケット部９を外筒部材２内に引き込むときの荷重をより一層小さくすることができる。
【００６４】
特定弾性ワイヤ１０ａが複数設けられている場合、一の特定弾性ワイヤ１０ａａのγと、他の特定弾性ワイヤ１０ａｂのγの角度差が５度以内であることが好ましく、３度以内であることがより好ましい。これにより、バスケット部９を外筒部材２内に引き込むときの荷重の偏りを低減できる。
【００６５】
バスケット部９を構成する全ての弾性ワイヤ１０が特定弾性ワイヤ１０ａであり、各特定弾性ワイヤ１０ａのγの角度差が５度以内であることが好ましく、３度以内であることがより好ましい。これにより、バスケット部９が拡張したときに隣り合う弾性ワイヤ１０が接触しにくくなる。
【００６６】
γが、３６０度／弾性ワイヤ１０の本数よりも小さいことが好ましい。このようにγを設定することによって、周方向において隣り合う弾性ワイヤ１０の接触を抑制しつつ、バスケット部９を外筒部材２内に引き込むときの荷重を低減することができる。
【００６７】
図２に示すように、第２結束部１２において、複数の弾性ワイヤ１０がねじって結束されていることが好ましく、全ての弾性ワイヤ１０がねじって結束されていることがより好ましい。これにより、第２結束部１２において複数の弾性ワイヤ１０が周方向に変位するため、バスケット部９の近位側を外筒部材２内に引き込むときの荷重を低減することができる。
【００６８】
図３に示すように、接触点Ｐで特定弾性ワイヤ１０ａが外筒部材２と接触している状態において、カテーテル１の遠位端側から見て、接触点Ｐにおける特定弾性ワイヤ１０ａの接線Ｌ３が第１直線Ｌ１に対して周方向に角度δをなすように延在していることが好ましい。このように特定弾性ワイヤ１０ａが延在角度δを有することにより、周方向において隣り合う弾性ワイヤ１０の接触を抑制しつつ、バスケット部９を外筒部材２内に引き込むときの荷重を低減することができる。ここで０度＜δ≦γであることが好ましく、δ＜γであることがより好ましい。
【００６９】
角度δは３度以上であることが好ましく、５度以上がより好ましく、１０度以上がさらに好ましく、また、６０度以下であることが好ましく、５５度以下であることがより好ましく、５０度以下であることがさらに好ましい。δを上記範囲に設定することにより、バスケット部９を外筒部材２内に引き込むときの荷重をより一層小さくすることができる。
【００７０】
バスケット部９において、弾性ワイヤ１０は直線状に形成されていてもよく、曲線状に形成されていてもよい。弾性ワイヤ１０は湾曲していてもよく、折り曲げられていてもよいが、湾曲していることが好ましい。中でも、バスケット部９の近位側で、弾性ワイヤ１０が湾曲していることがより好ましい。これにより、バスケット部９の近位側を外筒部材２内にスムーズに引き込むことができるため、引き込み荷重を低減することができる。
【００７１】
複数の弾性ワイヤ１０がらせん状に形成されていることが好ましく、全ての弾性ワイヤ１０がらせん状に形成されていることがより好ましい。このように弾性ワイヤ１０を形成することにより、異物を捕捉しやすくなる。
【００７２】
バスケット部９は、遠位側に向かって、弾性ワイヤ１０の巻きピッチが小さくなっていることが好ましい。バスケット部９の遠位側で弾性ワイヤ１０の間隔が密になるため、バスケット部９で捕捉された異物を取りこぼすことなく、乳頭側に移動させることができる。
【００７３】
バスケット部９の外筒部材２内への引き込み荷重を低減するために、弾性ワイヤ１０がバスケット部９の中心軸を回転軸とした回転対称に配置されていてもよい。
【００７４】
次に、図４〜図６を用いて、バスケット部９および弾性ワイヤ１０の形状の変形例について説明する。図４では、全ての弾性ワイヤ１０（８本の弾性ワイヤ１０）が、特定弾性ワイヤ１０ａである例を示している。図４に示すように、バスケット部９の最大外径位置１５において、複数の弾性ワイヤ１０のうち少なくとも１本の特定弾性ワイヤ１０ａが、バスケット部９の中心軸に対して角度Ｘをなしており、第２結束部１２において、複数の弾性ワイヤ１０のうち少なくとも１本の特定弾性ワイヤ１０ａが、上記中心軸に対して角度Ｙをなしており、Ｘ＞Ｙであることが好ましい。特定弾性ワイヤ１０ａの延在角度がＸ＞Ｙであるとは、第２結束部１２に比べて最大外径位置１５では、ワイヤは径方向の外方により拡がっているということである。換言すれば、図４に示すように、特定弾性ワイヤ１０ａａの最大外径位置１５から径方向の外方に長さｄだけ離れた位置Ｐ１までの遠近方向の長さＬP1は、特定弾性ワイヤ１０ａｂの第２結束部１２の遠位端１２Ａから径方向の外方に長さｄだけ離れた位置Ｐ２までの遠近方向の長さＬP2よりも短い。このように特定弾性ワイヤ１０ａの延在角度を設定することで、弾性ワイヤ１０の間隔がバスケット部９の遠位側では密に、近位側では疎になりやすくなる。疎の部分（近位部分）を用いることでバスケット部９内に異物を取り込みやすくなり、密の部分（遠位部分）を用いることで疎の部分で捕捉した異物のサイズが小さくても取りこぼしなく採石することができる。
【００７５】
ここで、５度＜Ｘ＜６０度であり、２０度＜Ｘ＜４５度であることが好ましい。また、０度＜Ｙ＜４５度であり、１５度＜Ｙ＜３０度であることが好ましい。
【００７６】
図４では、角度Ｘをなす特定弾性ワイヤ１０ａと、角度Ｙをなす特定弾性ワイヤ１０ａが異なっている例を挙げて説明したが、１つの特定弾性ワイヤ１０ａが角度ＸとＹを有していてもよい。また、全ての弾性ワイヤ１０が特定弾性ワイヤ１０ａであり、特定弾性ワイヤ１０ａの全てが角度ＸとＹを有していてもよい。その場合、一の特定弾性ワイヤ１０ａａの角度Ｘと、他の特定弾性ワイヤ１０ａｂの角度Ｘは同じであっても異なっていてもよいが、バスケット部９を外筒部材２内に引き込むときの荷重の偏りを低減する観点からは同じであることが好ましい。同様の理由から、一の特定弾性ワイヤ１０ａａの角度Ｙと、他の特定弾性ワイヤ１０ａｂの角度Ｙは同じであっても異なっていてもよい。
【００７７】
図５に示すように、バスケット部９の最大外径位置１５よりも遠位側にある弾性ワイヤ１０が、最大外径位置１５よりも近位側にある弾性ワイヤ１０よりも長いことが好ましい。特定弾性ワイヤ１０ａは、バスケット部９の最大外径位置１５よりも遠位側の部分が、最大外径位置１５よりも近位側の部分に比べて長いことがより好ましい。このように弾性ワイヤ１０の長さを設計することによって、弾性ワイヤ１０の間隔をバスケット部９の遠位側では密に、近位側では疎にすることができる。バスケット部９の遠位側を密にすることによって異物の取りこぼしを抑え、近位側を疎にすることによって異物の回収を容易にすることができる。
【００７８】
外筒部材２の遠近方向において、バスケット部９の最大外径位置１５は特に限定されず、例えば、遠近方向において第１結束部１１の近位端から第２結束部１２の遠位端までの長さを２等分割する位置にあってもよく、上記分割位置よりも遠位側にあってもよい。これにより、バスケット部９の密の部分を広範囲に形成しやすくなり、密の部分での異物の取りこぼし抑制効果が一層高められる。また、バスケット部９の最大外径位置１５は、上記分割位置よりも近位側にあってもよい。これにより、バスケット部９の疎の部分を広範囲に形成しやすくなり、疎の部分で異物を一層取り込みやすくなる。
【００７９】
外筒部材２の遠近方向において、第１結束部１１の近位端を０％としバスケット部９の最大外径位置１５を１００％としたとき、バスケット部９の外径が最大外径の半分となる位置が、０％〜２５％の範囲にあり、バスケット部９を側面から見て、複数の弾性ワイヤ１０は、第１結束部１１の近位端から最大外径位置１５までの間における包絡線Ｌ４が弧状となるように形成されていることが好ましい。このように最大外径位置１５よりも遠位側の包絡線Ｌ４が弧状であることにより、これにより、バスケット部９のうち弧状の部分が胆管の内壁に沿いやすくなるため、小さいサイズの異物であってもバスケット部９の遠位側で取りこぼしにくくすることができる。
【００８０】
バスケット部９の外径が最大外径の半分となる位置が、３％〜２０％の範囲にあることがより好ましく、５％〜１５％の範囲にあることがさらに好ましい。これにより、バスケット部９の遠位側が胆管の内壁に一層沿いやすくなるため、小さいサイズの異物であってもバスケット部９の遠位側で取りこぼしにくくすることができる。
【００８１】
弧状の包絡線Ｌ４は、径方向の外方に張り出していることが好ましい。これによりバスケット部９の弧状の部分が胆管の内壁により一層沿いやすくなる。
【００８２】
外筒部材２内にバスケット部９の近位側を引き込んだときの荷重が１．２Ｎ以下であることが好ましく、１．０Ｎ以下であることがより好ましく、０．９Ｎ以下であることがさらに好ましく、０．８Ｎ以下であることがさらにより好ましく、０．７Ｎ以下であることが特に好ましい。バスケット部９を外筒部材２内に引き込むときの荷重は、後述する実施例に記載の方法で測定する。
【００８３】
図示していないが、外筒部材２と内挿部材３の操作性を向上させるため、外筒部材２または内挿部材３の近位側には公知のハンドルを設けることができる。
【００８４】
本願は、２０１８年２月８日に出願された日本国特許出願第２０１８−２１３９４号に基づく優先権の利益を主張するものである。２０１８年２月８日に出願された日本国特許出願第２０１８−２１３９４号の明細書の全内容が、本願に参考のため援用される。
【実施例】
【００８５】
（引き込み荷重試験）
バスケット部において、線径が０．２６ｍｍまたは０．２０ｍｍの８本の弾性ワイヤがらせん状に形成されており、外筒部材と接触している特定弾性ワイヤの角度α、βがそれぞれ表１に示すように設定されたバスケットカテーテルを準備した。日本電産シンポ社製の引張試験機（デジタルフォースゲージ  ＦＧＣ−１０  １０ｋｇｆ）を用いて、内径が１．６ｍｍのＰＴＦＥ製の外筒部材内に各バスケットカテーテルの近位側を速度１０ｍｍ／秒で引き込んだときの荷重を測定した。結果を表１に示す。【００８６】
【表１】
2019155796.tif 000003
【００８７】
実施例１〜４に係るカテーテルは、比較例１〜２に係るカテーテルに比べて、引き込み時の荷重を低減することができることが分かった。
【符号の説明】
【００８８】
１：バスケットカテーテル
２：外筒部材
３：内挿部材
９：バスケット部
１０：弾性ワイヤ
１０ａ、１０ａａ、１０ａｂ：特定弾性ワイヤ
１１：第１結束部
１２：第２結束部
１２Ａ：第２結束部の遠位端
１３：先端チップ
１４：接続具
１５：最大外径位置
１６：中央区間
１７：遠位区間
１８：近位区間
Ｌ１：第１直線
Ｌ２：第２直線
Ｌ３：接線
Ｌ４：包絡線
α、β、γ、δ、Ｘ、Ｙ：角度
Ｐ：特定弾性ワイヤと外筒部材が接触する点
Ｃ１：内挿部材の遠位端の中心
Ｃ２：外筒部材の遠位端の中心
【図１】
2019155796.tif 000004
【図２】
2019155796.tif 000005
【図３】
2019155796.tif 000006
【図４】
2019155796.tif 000007
【図５】
2019155796.tif 000008
【図６】
2019155796.tif 000009
【国際調査報告】
2019155796.tif 000010
2019155796.tif 000011